(57)【要約】【課題】容器に盛られた飲食物のはねをよけるはねよけシートであって、広範な形状の容器に使用することができるものを提供すること。【解決手段】はねよけシート１０は、縦方向の長さが容器５０の高さより長いシート状のはねよけ部１０ａ、及び、はねよけ部１０ａを容器５０が置かれるテーブル上に、その上面に交差する方向に向けて支持する支持部１０ｂを備える。支持部１０ｂを用いて、はねよけ部１０ａを、容器５０に隣接して、テーブル上面に交差する方向に向けて、テーブル上に支持することで、はねよけ部１０ａにより容器５０の高さを超えて容器５０を横からカバーすることができる。それにより、はねよけ部１０ａを容器５０との間に配置することで、容器内に盛られた飲食物を食すとき等に、容器５０内からの飲食物のはねをよけることができる。【選択図】図２
2016086869.tif 000002
【特許請求の範囲】
【請求項１】
容器に盛られた飲食物のはねをよけるはねよけシートであって、
一軸方向の長さが前記容器の高さより長いシート状のはねよけ部と、
前記はねよけ部を前記容器が置かれる一面上に、該一面に交差する方向に前記一軸方向を向けて支持する支持部とを備えることを特徴とする、はねよけシート。
【請求項２】
前記はねよけ部は、柔軟性を有するシート状の部材から成形されることを特徴とする、請求項１に記載のはねよけシート。
【請求項３】
前記支持部は、前記はねよけ部の前記一軸方向の一端から延びる前記容器の半径より長いシート状の複数の支持部材を有することを特徴する、請求項２に記載のはねよけシート。
【請求項４】
前記支持部と前記はねよけ部とは、１つのシートから、該シートの前記一軸方向の一側から１以上のスリットを入れることで、それぞれシートの一側及び他側に成形されることを特徴とする、請求項３に記載のはねよけシート。
【請求項５】
前記支持部は、前記はねよけ部の前記一軸方向に交差する方向の一側及び他側からそれぞれ延びるシート状の第１及び第２支持部材を有することを特徴とする、請求項１又は２に記載のはねよけシート。
【請求項６】
前記第１及び第２支持部材の前記交差する方向の長さの和は、前記容器の外周より長く、前記第１及び第２支持部材の一方には前記一軸方向の一側から第１スリットが、他方には前記一軸方向の他側から第２スリットが入れられていることを特徴とする、請求項５に記載のはねよけシート。
【請求項７】
前記第１スリットは、前記第１支持部材に複数設けられることを特徴とする、請求項６に記載のはねよけシート。
【発明の詳細な説明】
【技術分野】
【０００１】
本発明は、容器に盛られた飲食物のはねをよけるはねよけシートに関する。
【背景技術】
【０００２】
ラーメン、うどん、そば、スパゲッティ等、鉢又は椀等の容器につゆ、スープ又はソースとともに盛られた麺類を食すとき、つゆ等がはね、衣服に付着して汚れになるという問題がある。例えばカレーうどんを食する際にカレーのスープが衣服に付着してしまうと、除去が困難である。
【０００３】
これに対して、例えば特許文献１には、板状の部材の中央をくり抜き、そのくり抜いた中央に挟み部を成形し、これを容器の縁に挟むことで板状の部材を略垂直に立てるつゆはね防止カードが開示されている。しかし、容器の縁に挟むものであるため、容器の縁が上方に向いていないと板状の部材を立てることができない。例えばスパゲッティが平皿に盛られた場合には使用することができない。
【０００４】
また、特許文献２には、容器の外側にその容器の外形に沿った形状の筒状のつゆはね防止板が設けられ、飲食時に、そのつゆはね防止板を容器にはめ込んで固定するつゆはね防止板付きの即席めん用容器が開示されている。しかし、容器とつゆはね防止板とが一体のものであるため、広範な容器についてのつゆはねが防止できるものではない。
【先行技術文献】
【特許文献】
【０００５】
【特許文献１】特開２０１２−５５６７４号公報
【特許文献２】特開平９−２６７８６９号公報
【発明の概要】
【発明が解決しようとする課題】
【０００６】
本発明は、容器に盛られた飲食物のはねをよけるはねよけシートであって、広範な形状の容器に使用することができるものを提供することを課題とする。
【課題を解決するための手段】
【０００７】
本発明のはねよけシートは、
容器に盛られた飲食物のはねをよけるはねよけシートであって、
一軸方向の長さが前記容器の高さより長いシート状のはねよけ部と、
前記はねよけ部を前記容器が置かれる一面上に、該一面に交差する方向に前記一軸方向を向けて支持する支持部とを備えることを特徴とする。
【０００８】
これによれば、支持部を用いて、はねよけ部を、容器に隣接して、一軸方向を交差する方向に向けて、容器が置かれる一面上に支持することで、はねよけ部により容器の高さを超えて容器を横からカバーすることができる。
【０００９】
本発明のはねよけシートは、
前記はねよけ部は、柔軟性を有するシート状の部材から成形されることを特徴とする。
【００１０】
これによれば、はねよけ部を容器の形に応じて曲げて、容器の横をカバーすることができる。
【００１１】
本発明のはねよけシートは、
前記支持部は、前記はねよけ部の前記一軸方向の一端から延びる前記容器の半径より長いシート状の複数の支持部材を有することを特徴する。
【００１２】
これによれば、はねよけ部に対して複数の支持部材を屈曲し、それら複数の支持部材の先端を重ねてその上に容器を置くことで、はねよけ部を容器の横に支持することができる。
【００１３】
本発明のはねよけシートは、
前記支持部と前記はねよけ部とは、１つのシートから、該シートの前記一軸方向の一側から１以上のスリットを入れることで、それぞれシートの一側及び他側に成形されることを特徴とする。
【００１４】
これによれば、支持部とはねよけ部を１つのシートから簡易に成形することができる。
【００１５】
本発明のはねよけシートは、
前記支持部は、前記はねよけ部の前記一軸方向に交差する方向の一側及び他側からそれぞれ延びるシート状の第１及び第２支持部材を有することを特徴とする。
【００１６】
これによれば、はねよけ部に対して第１及び第２支持部材を曲げ、それらを用いてはねよけ部を容器の横に支持することができる。
【００１７】
本発明のはねよけシートは、
前記第１及び第２支持部材の前記交差する方向の長さの和は、前記容器の外周より長く、前記第１及び第２支持部材の一方には前記一軸方向の一側から第１スリットが、他方には前記一軸方向の他側から第２スリットが入れられていることを特徴とする。
【００１８】
これによれば、第１及び第２支持部材で容器の周りを囲み、第１支持部材の第１スリットと第２支持部材の第２スリットとを互いに係合することで、はねよけ部を容器に隣接して支持することができる。
【００１９】
本発明のはねよけシートは、
前記第１スリットは、前記第１支持部材に複数設けられることを特徴とする。
【００２０】
これによれば、容器の外周の長さに応じて、支持部材の長さを調整することができる。
【発明の効果】
【００２１】
本発明のはねよけシートによれば、広範な形状の容器について、容器に盛られた飲食物のはねをよけることが可能となる。
【図面の簡単な説明】
【００２２】
【図１】図１は、はねよけシートの構成を示す図である。（実施例１）
【図２】図２は、図１のはねよけシートの使用例を示す図である。（実施例１）
【図３】図３は、はねよけシートの第１の変形構成を示す図である。（実施例１）
【図４】図４は、図３のはねよけシートの使用例を示す図である。（実施例１）
【図５】図５は、はねよけシートの第２の変形構成を示す図である。（実施例１）
【図６】図６は、図６のはねよけシートの使用例を示す図である。（実施例１）
【図７】図７は、はねよけシートの構成を示す図である。（実施例２）
【図８】図８は、図７のはねよけシートの使用例を示す図である。（実施例２）
【発明を実施するための形態】
【００２３】
以下、本発明の実施例について説明する。
【実施例１】
【００２４】
図１に、本実施例に係るはねよけシート１０の構成を示す。はねよけシート１０は、一例として高さ約１０ｃｍ及び直径約２０ｃｍの容器に対して使用するものとし、縦３０ｃｍ及び横２１ｃｍの矩形状を有するシート状部材から構成される。シート状部材として、例えば厚紙を採用することができる。ただし、適度の弾力、柔軟性を有する素材であれば、厚紙に限らず、あらゆる素材を採用することができる。それにより、後述するように、はねよけシート１０（はねよけ部１０ａ）をそのパネル状の形状を維持しつつ容器の形に応じてフレキシブルに曲げることができる。
【００２５】
はねよけシート１０は、縦方向の一端（下端）からシートを縦方向に略二分する基準線１０ｄまで入れられた複数のスリット１０ｃが横方向に複数並設されている。それにより、１つのシートから、一面状のはねよけ部１０ａ及びその下端から延びる短冊状の複数の支持部１０ｂを簡易に成形することができる。
【００２６】
はねよけ部１０ａは、容器に盛られた飲食物のはねをよける役割を果たす。その縦方向の長さは約１５ｃｍであり、容器の高さより十分高い。それにより、はねよけ部１０ａにより容器の高さを超えて容器を横からカバーすることができる。
【００２７】
複数の支持部１０ｂは、はねよけ部１０ａをテーブル上に支持する役割を果たす。それらの長さ（スリット１０ｃの長さ）の長さは、容器の半径より長いものとする。本実施例では約１５ｃｍであり、容器の半径より十分に長い。また、スリット１０ｃ（支持部１０ｂ）の数は、一例として５（６）とする。なお、スリット１０ｃ（支持部１０ｂ）の数は任意に定めることができるが、例えばはねよけシート１０を４分の１のサイズにクロス折りした場合に、支持部１０ｂのいずれにも折り目が入らないようスリット１０ｃの数を奇数（支持部１０ｂの数を偶数）とする。
【００２８】
はねよけシート１０の使用方法について説明する。図２（Ａ）〜（Ｃ）は、はねよけシート１０を容器５０に対して使用した状態を示す上面図、側面図、斜視図である。ただし、はねよけシート１０の状態を示すため、一部の図において容器５０を省略し、破線によりその底部、上部、又はそれらの両方の外延を示す。
【００２９】
まず、はねよけシート１０を拡げ、複数の支持部１０ｂを基準線１０ｄに沿ってはねよけ部１０ａに向けて折り曲げる。次に、図２（Ａ）又は（Ｃ）より分かるように、折り曲げた複数の支持部１０ｂの先端を重ねる。それにより、はねよけ部１０ａが湾曲する。最後に、複数の支持部１０ｂをテーブル上にその上面に平行に置き、重ねた先端の上に容器５０の底部５０ａを載せる。それにより、はねよけ部１０ａが、テーブル上に垂直に、容器５０の横に５ｃｍ程度離間して支持される。
【００３０】
以上詳細に説明したように、本実施例のはねよけシート１０は、縦方向の長さが容器５０の高さより長いシート状のはねよけ部１０ａ、及び、はねよけ部１０ａを容器５０が置かれるテーブル上に、その上面に交差する方向に向けて支持する支持部１０ｂを備える。支持部１０ｂを用いて、はねよけ部１０ａを容器５０に隣接し、テーブル上面に交差する方向に向け、テーブル上に支持することで、はねよけ部１０ａにより容器５０の高さを超えて容器５０を横からカバーすることができる。それにより、はねよけ部１０ａを容器５０との間に配置することで、容器内に盛られた飲食物を食すとき等に、容器５０内からの飲食物のはねをよけることができる。
【００３１】
なお、容器５０の大きさは一例であり、容器の大きさに応じてはねよけシート１０の大きさを適宜定めることとする。また、はねよけ部１０ａの一面（湾曲した際の外側の面）に、宣伝用の広告を表示してもよい。
【００３２】
また、本実施例のはねよけシート１０では、はねよけ部１０ａの下端から延びる短冊状の複数の支持部１０ｂを採用したが、これら複数の支持部１０ｂのうちの一部のみを採用してもよい。例えば、図３に示す変形例に係るはねよけシート２０のように、横方向の両端の支持部２０ｂ１，２０ｂ２のみを採用してもよい。かかる場合、図４に示すように、支持部２０ｂ１，２０ｂ２を基準線２０ｄに沿って折り曲げ、それらの先端を重ねてテーブル上にその上面に平行に置き、重ねた先端の上に容器の底部５０ａを載せる。それにより、はねよけ部２０ａが、テーブル上に垂直に、容器５０の横に支持される。
【００３３】
また、支持部１０ｂは短冊状でなくてもよい。例えば、図５に示す変形例に係るはねよけシート２０のように、支持部を短冊状に切断せずに接続させ、横方向の両端の支持部２０ｂ１，２０ｂ２の内側を山折り（点線で示す）し、その内側を斜めに谷折り（一点鎖線で示す）してもよい。かかる場合、図６に示すように、折り曲げ後の支持部２０ｂ１，２０ｂ２の上に容器の底部５０ａを載せる。なお、谷折り箇所は支持部２０ｂ１，２０ｂ２の下にあり見えないが、理解容易化のため細線で示した。それにより、はねよけ部２０ａが、テーブル上に垂直に、容器５０の横に支持される。
【実施例２】
【００３４】
図７に示すはねよけシート３０のように、はねよけ部１０ａの側面の下側からそれぞれ右方向及び左方向に延びるシート状の第１及び第２支持部材３０ｂ１，３０ｂ２を採用してもよい。係る場合、基準線３０ｄに沿って第１及び第２支持部材３０ｂ１，３０ｂ２をはねよけ部３０ａに対して折り曲げて、はねよけ部１０ａを支持する脚部とすることができる。
【００３５】
また、第１及び第２支持部材３０ｂ１，３０ｂ２の長さの和は容器５０の外周より長く、第１支持部材３０ｂ１には上端から第１スリット３０ｂ１０が、第２支持部材３０ｂ２０には下端から第２スリット３０ｂ２０が入れられている。ここで、スリットの長さは、支持部材の幅の半分とする。図８に示すように、第１及び第２支持部材３０ｂ１，３０ｂ２で容器の底部５０ａの周りを囲み、第１支持部材３０ｂ１の第１スリット３０ｂ１０と第２支持部材３０ｂ２の第２スリット３０ｂ２０とを互いに係合してループを形成する。それにより、はねよけ部１０ａを容器に隣接して支持することができる。
【００３６】
上述のはねよけシート３０において、第１スリット３０ｂ１０が第１支持部材３０ｂ１に複数設けられている。それにより、容器５０の外周の長さに応じて、支持部材の長さを調整することができる。
【００３７】
実施例１、２のいずれのはねよけシートにおいても、はねよけ部１０ａ（又は３０ａ）に飲食店の宣伝を印刷することができる。飲食店が来客に使用させるのに好適である。また、はねよけ部１０ａ（又は３０ａ）デザインや使用する素材の効果によって、料理の見栄えを演出することができる。
【００３８】
また、実施例１、２のいずれのはねよけシートも、折りたたんで携帯することができる。麺類を好む個人が使用するのに好適である。
【産業上の利用可能性】
【００３９】
本発明のはねよけシートは、広範な形状の容器に使用して飲食物のはねをよけることができる。多くの飲食店における利用が期待される。また、折りたたんで携帯することができ、多くの個人による利用も期待される。
【符号の説明】
【００４０】
１０        はねよけシート
１０ａ      はねよけ部
１０ｂ      支持部
１０ｃ      スリット
１０ｄ      基準線
２０        はねよけシート
２０ａ      はねよけ部
２０ｂ      支持部
２０ｄ      基準線
３０        はねよけシート
３０ａ      はねよけ部
３０ｂ１    第１支持部材
３０ｂ１０  第１スリット
３０ｂ２    第２支持部材
３０ｂ２０  第２スリット
３０ｄ      基準線
５０        容器
５０ａ      底部
【図１】
2016086869.tif 000003
【図２】
2016086869.tif 000004
【図３】
2016086869.tif 000005
【図４】
2016086869.tif 000006
【図５】
2016086869.tif 000007
【図６】
2016086869.tif 000008
【図７】
2016086869.tif 000009
【図８】
2016086869.tif 000010